(57)【要約】【課題】  結婚式などの会場にデジタルカメラを所持した参列者同士が、撮影した画像データをお互いに安全に交換できる画像配信システムを実現する。【解決手段】  配信サーバ４は、撮像装置１に登録鍵を記憶させる記憶制御部４５３と、登録鍵を読み出すソフトを演算処理部２に配信する配信制御部４５１と、演算処理部２から配信サーバ４へのアクセスに対して、登録鍵の配信を配信端末に要求する登録鍵要求部４５８ａと、配信された登録鍵を登録鍵認証部４５８ｂにより認証し、認証された場合に配信サーバの蓄積部４３に蓄積されている画像を演算処理部２にダウンロードさせるダウンロード制御部４５８ｃとを備えて、インターネット３を介して接続されている演算処理部２から配信サーバ４に蓄積されている画像を演算処理部２にダウンロードしたり、配信サーバ４に撮像装置１で撮像した画像をアップロードできるようにした。【選択図】      図１
2007060089.tif 000002
【特許請求の範囲】
【請求項１】
配信サーバと、前記配信サーバにより割り振られた登録鍵を有する撮像装置と、前記撮像装置に接続され、前記登録鍵を読み取って前記配信サーバにアップロードするためのプログラムソフトを格納し、前記プログラムソフトによって前記登録鍵を前記配信サーバにアップロードして認証させる配信端末と、を備えた画像配信システムにおいて、
前記配信サーバは、
前記撮像装置に前記登録鍵を記憶させる記憶制御部と、
前記プログラムソフトを前記配信端末に配信する配信制御部と、
前記登録鍵の配信を前記配信端末に要求する登録鍵要求部と、
前記登録鍵要求部の要求に応じて配信された前記登録鍵を認証する認証部と、
前記認証部で認証された前記登録鍵により開けられた前記配信サーバの蓄積部に蓄積されている画像を前記配信端末にダウンロードさせるダウンロード制御部と、
を備えたことを特徴とする画像配信システム。
【発明の詳細な説明】
【技術分野】
【０００１】
本発明は、認証された複数の使用者から送信されるデジタル画像データを配信サーバに蓄積し、その蓄積された画像データを認証された複数の端末装置に配信する画像配信システムに関する。
【背景技術】
【０００２】
従来、結婚式や披露宴に出席した参列者が撮影した写真は、参列者が焼き増しし、出席した人等に郵送していた。最近になりディジタルカメラ（以降デジカメと略記することがある。）が普及し、撮影したディジタル画像データをホームページに掲載したり、電子メールで送付することは可能になったものの、実際にはディジタル画像を印刷した後に送付する方法が一般に用いられている。
通常の写真交換は新郎側又は新婦側のうちの、一方の出席者間でなされることが多く、新郎側及び新婦側の両者の間でなされることが少ない。新郎側及び新婦側の両者間で、特に自分が撮影した以外の写真、例えば、新郎側（新婦側）の出席者は新婦側（新郎側）のグループ写真をお互いに入手でき、さらに全体写真などを含めて写真交換がスムーズにできるのが好ましい。
【０００３】
特許文献１には、結婚式場に設置され、端末部１と、プリント出力部２とがネットワークを通じて接続されてなるウェディングフォトシステムが開示されている。そのフォトシステムは、端末部には、デジタル撮像手段から出力されたデジタル画像データを格納する格納手段と、デジタル画像データを画像として表示する表示手段と、表示手段に表示されたデジタル画像データを選択して、プリント出力を指示するプリント出力指示手段とを備える一方、プリント出力部には、端末部からのプリント出力指示を受け付けるプリント指示受付手段と、プリント出力指示に基づいてデジタル画像データをプリント出力するプリント出力手段とを備え、結婚式場で希望する写真の即時プリントやネットワークを通じたアルバム形式データの配信ができるウェディングフォトシステムが開示されている。
【特許文献１】特開２００２−６４７６７号公報
【発明の開示】
【発明が解決しようとする課題】
【０００４】
しかしながら、特許文献１に開示されているウェディングフォトシステムでは結婚式を運営する側で撮影した写真がプリントアウトの対象とされ、参列者が撮影した写真の交換システムとしては実現できていない。結婚式に参列する新郎側及び新婦側の参列者同士は初対面であることが多い。写真交換システムは、利用者が参列者であることを認証して後に交換を開始させる必要もある。写真の交換を安心して、安全に行うことの出来る写真交換システムの実現が望まれている。
【０００５】
そこで、本発明は、上記のような問題点を解消するためになされたもので、結婚式などの特定の会合が開催される会場にディジタルカメラを所持して出席した出席者同士が、撮影した画像データをお互いに安全に交換することのできる画像配信システムを提供することを目的とする。
【課題を解決するための手段】
【０００６】
本願発明における第１の発明は、配信サーバと、前記配信サーバにより割り振られた登録鍵を有する撮像装置と、前記撮像装置に接続され、前記登録鍵を読み取って前記配信サーバにアップロードするためのプログラムソフトを格納し、前記プログラムソフトによって前記登録鍵を前記配信サーバにアップロードして認証させる配信端末と、を備えた画像配信システムにおいて、前記配信サーバは、前記撮像装置に前記登録鍵を記憶させる記憶制御部と、前記プログラムソフトを前記配信端末に配信する配信制御部と、前記登録鍵の配信を前記配信端末に要求する登録鍵要求部と、前記登録鍵要求部の要求に応じて配信された前記登録鍵を認証する認証部と、前記認証部で認証された前記登録鍵により開けられた前記配信サーバの蓄積部に蓄積されている画像を前記配信端末にダウンロードさせるダウンロード制御部と、を備えたことを特徴とする画像配信システムを提供する。
【発明の効果】
【０００７】
本発明によれば、配信サーバは、撮像装置に登録鍵を記憶させる記憶制御部と、プログラムソフトを配信端末に配信する配信制御部と、前記登録鍵の配信を前記配信端末に要求する登録鍵要求部と、前記登録鍵要求部の要求に応じて配信された前記登録鍵を認証する認証部と、前記認証部で認証された前記登録鍵により開けられた前記配信サーバの蓄積部に蓄積されている画像を前記配信端末にダウンロードさせるダウンロード制御部とを備えているので、結婚式などの特定の会合が開催される会場にデジタルカメラを所持して出席した出席者同士が、撮影した画像データをお互いに安全に交換することのできる画像配信システムを実現できる。
【発明を実施するための最良の形態】
【０００８】
以下に本発明の実施例に係る画像配信システムについて図１〜図４を用いて説明する。
図１は、本発明の実施に係る画像配信システムの概略構成例を示す図である。
図２は、本発明の実施に係る画像配信システムの構成例を示すブロック図である。
図３は、本発明の実施に係る画像認証配信装置の要部の構成を示すブロック図である。
図４は、本発明の実施に係る画像配信システムの動作をフローチャートで示した図である。
【０００９】
画像配信システムの構成について述べる。
図１に示す画像配信システムは、デジタルカメラ（以降、デジカメと略記することがある。）１と、ＰＣ（Personal Computer）２と、インターネット３と、登録鍵作成部４５７やアクセス権認証部４５８を有する管理サーバ４５及びＡ家・Ｂ家データ部４３１を有する画像蓄積部４３よりなる画像認証配信装置４とより構成される。デジタルカメラ１は移動可能とされ、写真撮影を行う外、画像認証配信装置４と接続したり、ＰＣ２と接続したりする。
図２に示す画像配信システムは、撮像部１１、ＲＡＭ（Random Access Memory）１２、Ｉ／Ｆ（Inter face）１３及び制御部１４よりなるデジタルカメラ１と、ＣＰＵ（Central Processing Unit）２１、メール部２２、Ｉ／Ｆ２３、ＲＡＭ（Random Access Memory）２４、蓄積部２５およびＩ／Ｆ２６よりなるパーソナルコンピュータ２と、インターネット３と、Ｉ／Ｆ４１、ＷＥＢサーバ４２、画像蓄積部４３、管理サーバ４５、個人情報蓄積部４６及び制御部４９よりなる画像認証配信装置４とより構成される。デジタルカメラ１のＩ／Ｆ１３はＰＣ２のＩ／Ｆ２３、又は画像認証配信装置４のＩ／Ｆ４１と接続される。
図３に示す管理サーバ４５は、メール送受信部４５１、デジカメ制御ソフト記憶部４５２、登録鍵記録部４５３、Ｉ／Ｆ４５４、操作部４５５、会場特定部４５６、登録鍵作成部４５７、アクセス権認証部４５８、及び制御部４５９より構成される。
【００１０】
画像配信システムの動作について述べる。
図１を参照して概説する。
まず、（１）使用者により所持されるデジタルカメラ１は結婚式場に設置される画像認証配信装置４の管理サーバ４５に接続される。管理サーバ４５が操作され、デジタルカメラ１はＡ家及びＢ家の結婚式を撮影するカメラであることが登録される。使用者の電子メールアドレスも登録される。（２）管理サーバ４５は登録鍵を生成し、接続されるデジタルカメラ１に登録鍵を伝送し、記憶させる。（３）登録鍵を記憶したデジタルカメラ１は使用者により結婚式の撮影がなされる。式終了後、デジタルカメラ１は使用者宅に移動される。（４）デジタルカメラ１は使用者宅に設置されるＰＣ２に接続される。
【００１１】
（５）管理サーバ４５は、予め登録された電子メールアドレス宛に、記憶させた登録鍵をデジタルカメラ１から読み出し、及び読み出された登録鍵をインターネット３を介して管理サーバ４５に転送させるパソコン駆動ソフトを送信しておく。（６）ＰＣ２は受信したパソコン駆動ソフトを用いてデジタルカメラ１に記憶される登録鍵を読み出す。管理サーバ４５への接続を行う。（７）管理サーバ４５からの要求に応じて、デジタルカメラ１から読み出された登録鍵を返送する。管理サーバ４５のアクセス権認証部４５８により、返送された登録鍵は上記（２）でデジタルカメラ１に記憶させた鍵と同一であるか否かを検査する。同一であるとして検出された場合には、ＰＣ２はＡ家及びＢ家の結婚式参列者に係るＰＣであるとして認証する。（８）で管理サーバ４５は、ＰＣ２が画像蓄積部４３のＡ家・Ｂ家データ部４３１に対してアクセス許可のされたＰＣであることを認証する。
【００１２】
（９）その結果、ＰＣ２と画像蓄積部４３のＡ家・Ｂ家データ部４３１との間での通信路が開通される。ＰＣ２はデジタルカメラ１で撮影した画像をＡ家・Ｂ家データ部４３１に伝送して記憶させたり（アップロード）、他のデジタルカメラが撮影して記憶されている画像データを入手する（ダウンロード）。新郎側の参列者と新婦側の参列者とはＡ家・Ｂ家データ部４３１を介してお互いに撮影した写真を交換することが出来る。
さらに、新郎側及び新婦側の参列者は、結婚式場において所有するデジタルカメラを参列する結婚式と共に管理サーバに登録し、且つメールアドレスにより確認された場合にのみ写真の交換が可能とされる。従って、登録された参列者同士により目的の結婚式に係る画像データのみを安全に交換することが出来る。
【００１３】
図２を参照し、画像配信システムについてさらに述べる。
デジタルカメラ１は撮像部１１で撮影して得た画像データをＲＡＭ１２に記憶する。ＲＡＭ１２には画像認証配信装置４の管理サーバ４５から送信された登録鍵を記憶する。記憶された登録鍵はＰＣ２により、例えばＵＳＢ（Universal Serial Bus）規格に準拠して動作するＩ／Ｆ１３を介してアクセスされ、読み出される。ＲＡＭ１２に記憶された画像データは、Ｉ／Ｆ１３を介してＰＣ２に読み出される。制御部１４はそのための制御動作を行う。
【００１４】
ＰＣ２はＣＰＵ２１、ＲＡＭ２４、及びハードディスクなどの蓄積部２５からなる通常のコンピュータに、例えばＵＳＢなどのＩ／Ｆ（インタフェース）２３、電子メールの送受信を行うメール部２２、及びインターネット３に接続するためのＩ／Ｆ２６を有している。
管理サーバ４５から電子メールに添付されて送信されるデジカメ制御ソフトはメール部２２で受信されて後に蓄積部２５に蓄積される。ＣＰＵ２１は蓄積されたデジカメ制御ソフトを実行することによりデジタルカメラ１に格納されるＲＡＭ１２の所定のアドレスに記憶される登録鍵を読み出す。読み出された登録鍵はＩ／Ｆ２６を介して管理サーバ４５に送信される。
【００１５】
画像認証配信装置４は、インターネットを介して通信を行うためのＩ／Ｆ４１及びＷＥＢサーバ４２と、複数行われる結婚式毎に整理した画像を格納する画像蓄積部４３と、デジタルカメラの登録及び認証を行う後述の管理サーバ４５と、登録時に得られた個人情報を蓄積する個人情報蓄積部４６と、それら各部の動作の制御を司る制御部４９で構成されている。
【００１６】
図３を参照して管理サーバについて述べる。
Ｉ／Ｆ４５４はＵＳＢなど、通常のデジタルカメラが搭載するインタフェースを複数種類有する。Ｉ／Ｆ４５４にデジタルカメラが接続される。操作部４５５は使用者により操作され、使用者が参列する結婚式の名称や使用者の電子メールアドレスを入力する。会場特定部４５６は操作により得られた入力情報を基に使用者が参列する結婚式が、例えばＡ家・Ｂ家の結婚式であるかを特定する。登録鍵作成部４５７では特定された結婚式に係る登録鍵を生成する。生成された登録鍵はＩ／Ｆ４５４及びデジタルカメラ１のＩ／Ｆ１３を介してＲＡＭ１２に送信される。登録鍵記録部４５３はＲＡＭ１２のどの番地に登録鍵を記憶させるかを制御する。
【００１７】
メール送受信部４５１はＰＣ２に対して電子メールの送受信を行う回路部であり、デジカメ制御ソフト記憶部４５２に記憶されるデジタルカメラ制御ソフトをメールに添付して送信する。そのデジタルカメラ制御ソフトは、ＰＣ２がＩ／Ｆ２３及びＩ／Ｆ１３を介してデジタルカメラ１のＲＡＭ１２に記憶されている登録鍵情報を読み出し、読み出された登録鍵を管理サーバ４５、アクセス権認証部４５８の登録鍵要求４５８ａから送信される要求に応じて返送する動作を行わせる制御ソフトである。
アクセス権認証部４５８の登録鍵要求４５８ａはＰＣ２に対して登録鍵の送信を要求し、登録鍵認証４５８ｂはその要求によりＰＣ２から返送される登録鍵を解読し、登録鍵作成部４５７で作成された正しい鍵であるかを認証すると共に、ダウンロード制御４５８ｃは画像蓄積部４３に複数蓄積される画像データベースのうち、会場特定部４５６で特定された領域の画像データベースに対する入力及び出力を行わせるための通信許可を与えるものである。制御部４５９は管理サーバ４５各部の動作に係る制御を行う。
【００１８】
図４を参照して画像配信システムの動作の流れを説明する。
まず、Ｓ（ステップ）７１でデジタルカメラ１を画像認証配信装置４の管理サーバ４５に接続する。Ｓ７２で操作部４５５が操作されて結婚式名が入力される。Ｓ７３で電子メールアドレスが入力される。Ｓ７４で登録鍵作成部４５７は登録鍵を作成し、Ｓ７５で登録鍵をデジタルカメラのＲＡＭ１２に記憶させる。その後、Ｓ７６でデジタルカメラ１と管理サーバ４５との接続を切断する。Ｓ７７で、画像認証配信装置４の管理サーバ４５のメール送受信部４５１はＳ７３で登録された電子メールアドレスにデジカメ制御ソフトを添付して送信する。
【００１９】
Ｓ７８で、デジタルカメラ１が用いられ、結婚式場で写真撮影がなされる。結婚式終了後、Ｓ７９で使用者によりデジタルカメラ１は自宅のＰＣ２に接続される。Ｓ８１でＰＣ２はインターネット３に接続される。Ｓ８２で、Ｓ７７で管理サーバ４５から送信された電子メールが受信される。電子メールに添付して送信されたデジカメ制御ソフトが取得される。Ｓ８３で、ＰＣ２を画像認証配信装置４の例えばＷＥＢサーバ４２に接続する。画像蓄積部４３のアクセスが要求される場合には、Ｓ８４で管理サーバ４５のアクセス権認証部４５８から登録鍵の送信が要求される。Ｓ８５でＰＣ２は、Ｓ８２で取得したデジカメ制御ソフトを駆動させる。デジカメ制御ソフトによりＰＣ２に接続されるデジタルカメラ１のＲＡＭ１２がアクセスされ、登録鍵が取得される。登録鍵は管理サーバ４５に返送される。Ｓ８６で管理サーバ４５のアクセス権認証部４５８は登録鍵が正規の鍵であるか否かを検出する。正規でない場合にはアクセス動作を終了させる。正規である場合にはＳ７２で入力された結婚式名が検出される。
【００２０】
Ｓ８７でビジネス通信路が開通される。ここで、ビジネス通信路とはＳ８８以降で行われる画像データの送受信に対して課金される場合の通信路である。課金は、例えば、画像配信システムを運営する管理者によりなされ、画像の送信及び受信に係るサービスに対する対価が求められる。Ｓ８８で、管理サーバ４５のアクセス権認証部４５８により、ＰＣ２が画像蓄積部４３の所定領域にアクセスすることが許可される。Ｓ８９では、Ｓ７８で撮影された画像データを画像蓄積部４３に送信し、そこに蓄積させる。Ｓ９１では画像蓄積部４３に蓄積されている画像を閲覧する。Ｓ９２では必要な画像のプリントアウトが注文されたり、必要な画像のダウンロードが行われる。Ｓ９３でプリントアウトやダウンロードに対して生じる課金の処理（請求）が依頼される。Ｓ９４で、ＰＣ２の画像認証配信装置４への接続が切断され、処理を終了する。
【００２１】
以上のように、本実施例で示した画像配信システムによれば、配信サーバ４と、前記配信サーバにより割り振られた登録鍵を有する撮像装置１と、前記撮像装置に接続され、前記登録鍵を読み取って前記配信サーバにアップロードするためのプログラムソフトを蓄積部２５に格納し、前記プログラムソフトによって前記登録鍵を前記配信サーバにアップロードして認証させる配信端末２とを備えた画像配信システムを構成するに際し、配信サーバ４は、撮像装置１に登録鍵を記憶させる記憶制御部４５３と、プログラムソフトを配信端末に配信する配信制御部４５１と、前記登録鍵の配信を前記配信端末に要求する登録鍵要求部４５８ａと、前記登録鍵要求部の要求に応じて配信された前記登録鍵を認証する認証部４５８ｂと、前記認証部で認証された前記登録鍵により開けられた前記配信サーバの蓄積部４３に蓄積されている画像を前記配信端末にダウンロードさせるダウンロード制御部４５８ｃとを備えているので、結婚式などの特定の会合が開催される会場にデジタルカメラを所持して出席した出席者同士が、特に自分が撮影した以外の写真、例えば、新郎側（新婦側）の出席者は新婦側（新郎側）のグループ写真をお互いに入手でき、さらに全体写真などを含めて写真交換がスムーズにできるなど、撮影した画像データをお互いに安全に交換することのできる画像配信システムを実現できる。
【産業上の利用可能性】
【００２２】
結婚式に出席した参列者が撮影したデジタル画像データを配信サーバに蓄積し、その画像データを認証された複数の端末装置に配信する画像配信システムに適用できる。
【図面の簡単な説明】
【００２３】
【図１】本発明の実施に係る画像配信システムの概略構成例を示す図である。
【図２】本発明の実施に係る画像配信システムの構成例を示すブロック図である。
【図３】本発明の実施に係る画像認証配信装置の要部の構成を示すブロック図である。
【図４】本発明の実施に係る画像配信システムの動作をフローチャートで示した図である。
【符号の説明】
【００２４】
１    デジタルカメラ
２    ＰＣ
３    インターネット
４    画像認証配信装置
１１    撮像部
１２    ＲＡＭ
１３    Ｉ／Ｆ
１４    制御部
２１    ＣＰＵ
２２    メール部
２３、２６、４１    Ｉ／Ｆ
２４    ＲＡＭ
２５    蓄積部
４２    ＷＥＢサーバ
４３    画像蓄積部
４５    管理サーバ
４６    個人情報蓄積部
４９    制御部
４３１    Ａ家・Ｂ家データ部
４５１    メール送受信部
４５２    デジカメ制御ソフト記憶部
４５３    登録鍵記録部
４５４    Ｉ／Ｆ
４５５    操作部
４５６    会場特定部
４５７    登録鍵作成部
４５８    アクセス権認証部
４５８ａ    登録鍵要求
４５８ｂ    登録鍵認証
４５８ｃ    ダウンロード制御
４５９    制御部
【図１】
2007060089.tif 000003
【図２】
2007060089.tif 000004
【図３】
2007060089.tif 000005
【図４】
2007060089.tif 000006